【手続補正書】
【提出日】平成20年8月11日(2008.8.11)
【手続補正１】
【補正対象書類名】明細書
【補正対象項目名】全文
【補正方法】変更
【補正の内容】
【書類名】      明細書【発明の名称】  光量調整装置【特許請求の範囲】【請求項１】光軸開口を有する基板と、この光軸開口に配置された光量調整羽根と、この光量調整羽根に連結され中心に回転軸を有するマグネットロータと、このマグネットロータにそれぞれエアーギャップを形成して対向配置された一対の磁極を有した誘磁部材と、この誘磁部材を励磁するコイルと、このコイルを巻回するコイル枠とを備えた光量調整装置において、上記基板に、上記光量調整羽根を上記光軸開口に対し開閉自在に支持するガイドと、上記マグネットロータの回転軸の両端を嵌合支持する一対の軸受部と、上記誘磁部材を上記エアーギャップをもってマグネットロータと一対の磁極が対向配置する位置に位置決めする位置決めとを一体形成したことを特徴とする光量調整装置。【請求項２】前記一対の軸受部は前記マグネットロータの回転軸を嵌合支持する軸受穴を形成し、その一方の軸受穴に連なり弾性変形によって上記回転軸を嵌入するスリット状開口を設けてなる請求項１に記載の光量調整装置。【請求項３】前記コイル枠は前記コイルが巻回される芯部に凹溝部を形成し、前記誘磁部材は略コの字形状をして対向した辺部にそれぞれ磁極を有し、この対向した辺部を連結する連結部は前記コイルと絶縁状態で前記凹溝部に固定されることを特徴とする請求項１に記載の光量調整装置。【発明の詳細な説明】【０００１】【発明の属する技術分野】本発明は、カメラやビデオカメラ等に使用される光量調整装置に関するものである。【０００２】【従来の技術】従来、回転軸を有するマグネットロータと、このマグネットロータにそれぞれエアーギャップを形成して対向配置された一対の誘磁部材とによって構成される、いわゆる外磁型の電磁アクチェータを駆動源としたカメラやビデオカメラ等に使用される光量調整装置においては、特開平7−１８１５５１号公報、特開平１１−９５２８０号公報等で提案されているようなものがある。【０００３】【発明が解決しようとする課題】 上記特開平１１−９５２８０号公報提案の光量調整装置は、光軸開口を有する基板とは別ユニットして電磁アクチェータを備えたもので、光軸開口に配置された光量調整羽根をマグネットロータと誘磁部材とコイルによって構成される電磁アクチェータで駆動させているものである。この様に光軸開口を有する基板と電磁アクチェータを別々のユニットで構成した場合、この別々のユニットを位置ズレ無く一体に取り付ける為の取付部がそれぞれのユニットに設けざるを得ず、装置を薄く小型化することが出来無い。また、この電磁アクチェータ部の磁気回路は、電流を流すことにより磁界を発生するコイルと、この磁界により励磁される２つの誘磁部材（上記公報ではステータヨーク）と、この２つの誘磁部材にエアーギャップを形成して配置されたマグネットロータとで構成されているために、そのエアーギャップを形成するために組立に際し位置調整が必要である。【０００４】また上記特開平7−１８１５５１号公報提案の光量調整装置は、光軸開口を有する基板と一体ユニットとして電磁アクチェータを構成したものであるが、光量調整羽根を開閉駆動するマグネットロータの回転軸の一方を基板に、他方を基板とは別部材のケースに回転���在に支持する構造と成っている。これはマグネットロータの組み込み性を重視し配慮したものであるが、基板とケースの取り付け位置がずれることでマグネットロータが傾き、結果、マグネットロータと上述の誘磁部材に相当するステータヨークとのエアーギャップが適正に維持することが出来ず作動不良を起こす要因が有り、装置組立に際し個々に取り付け位置調整を行っている。【０００５】 つまり、これら外磁型の電磁アクチェータを駆動源とした光量調整装置の場合には、特に光軸開口を有する基板と、この光軸開口に配置された光量調整羽根と、この光量調整羽根に連結され中心に回転軸を有するマグネットロータと、このマグネットロータにそれぞれエアーギャップを形成して対向配置された一対の磁極を有した誘磁部材との配置関係を維持する事が重要で、その関係が多少でも崩れると直ちに作動不良の要因に繋がることから装置組立時にその都度調整をする必要が有り、装置組立性を悪くしている。【０００６】そこで本発明は、光軸開口を有する基板に対する光量調整羽根と、マグネットロータと、誘磁部材とのそれぞれの位置関係を簡単な構成で適正に維持することが出来、組立性に優れ、しかも薄くコンパクトな光量調整装置を提供することを目的としている。【０００７】【課題を解決するための手段】本発明の光量調整装置は、開口を有する基板と、この光軸開口に配置された光量調整羽根と、この光量調整羽根に連結され中心に回転軸を有するマグネットロータと、このマグネットロータにそれぞれエアーギャップを形成して対向配置された一対の磁極を有した誘磁部材と、この誘磁部材を励磁するコイルと、このコイルを巻回するコイル枠とを備え、その基板には、前記光量調整羽根を上記光軸開口に対し開閉自在に支持するガイドと、前記マグネットロータの回転軸の両端を嵌合支持する一対の軸受部と、前記誘磁部材を上記エアーギャップをもってマグネットロータと一対の磁極が対向配置する位置に位置決めする位置決めとを一体形成したものである。【０００８】また、前記一対の軸受部は前記マグネットロータの回転軸を嵌合支持する軸受穴を形成し、その一方の軸受穴に連なり弾性変形によって上記回転軸を嵌入するスリット状開口を設けている。【０００９】また、前記コイル枠は前記コイルが巻回される芯部に凹溝部を形成し、前記誘磁部材は略コの字形状をして対向した辺部にそれぞれ磁極を有し、この対向した辺部を連結する１辺部は前記コイルと絶縁状態で前記凹溝部に固定されるようにしている。【００１０】【実施例】図１には本発明の実施形態であるカメラやビデオカメラ等に使用される光量調整装置を示している。【００１１】また、この分解斜視図が図２である。この図において基板１には光軸開口５を有しており、光量調整羽根を支持する面に光量調整羽根の移動方向を規制してガイドするためのガイドピン１ａと、移動方向を規制してガイドするとともに支持する面に保持するためのＬ形状をした保持ガイドピン１ｂが設けられている。【００１２】光量調整羽根６及び７は黒色ポリエステルの薄片などで形成され、移動により光軸開口を遮光する機能を持っている。【００１３】 光量調整羽根６はスリット６ａ及び６ｂが形成されており、基板１に設けら��たガイドピン１ａと保持ガイドピン１ｂにそれぞれ挿入され、基板１上で移動方向が規制ガイドされ摺動自在に支持される。【００１４】 また、光量調整羽根７はスリット７ａ及び７ｂが形成されて、基板１に設けられたガイドピン１ａと保持ガイドピン１ｂに挿入され、光量調整羽根６を基板１とで挟み込むようにして、基板１上で移動方向が規制ガイドされ摺動自在に支持される。  【００１５】 この時に光量調整羽根７は２つのスリット７ｂが基板の保持ガイドピン１ｂに保持され、スリット７ｃが後述するアーム４の連結ピン４ｃに嵌入して保持されることにより３点の保持となり、基板上から脱落することなく保持されることになる。また、光量調整羽根６はスリット６ｂと６ｃの２点のみが上記と同様に支持されるが、光量調整羽根７と基板１とで挟み込まれているのでこちらも基板上から脱落することなく保持される。  【００１６】 マグネットロータ３は図３に示すように、径方向に２極に着磁された円筒形のマグネット９と、このマグネット９の円筒中心を貫通して固定されたアーム４とから構成されているものであり、図２に示すように軸方向の両端に軸部４ａ・４ｂが形成され連結ピン４ｃ・４ｄが形成される。  【００１７】 このマグネットロータ３は基板に形成された軸受部２ａに軸部４ａを挿入したのち、軸部４ｂを軸受部２ｂの弾性変形を利用してスリット状開口２ｃから嵌入させ、軸受穴径２ｅに収まるようにする。また、この後に前記した光量調整羽根６及び７に設けられたスリット６ｃ及び７ｃが光量調整羽根の弾性変形によって広がることにより、それぞれ連結ピン４ｄ及び４ｃに嵌入されマグネットロータと光量調整羽根は連結される。この状態においてそれぞれの軸と軸受はクリアランスを持ち、マグネットロータは往復回転が可能な状態となっている。  【００１８】 図４は図２に示す励磁ユニット１０の分解斜視図である。強磁性体である誘磁部材１１は略コの字形状で磁極１１ｂと１１ｃが対向して形成され、連結部１１ａがコイル枠１２の凹溝部１２ａに嵌入される。この時凹溝部１２ａの開口側にはその開口幅を狭くするように掛止爪１２ｂが形成されており、誘磁部材１１が挿入される際に弾性変形により開口が大きくなって嵌入され、コイル枠１２のコイル巻回されるスペースとは隙間をもって掛止される。  【００１９】 図５は励磁ユニット１０の断面斜視図である。誘磁部材１１は略コの字形状をしており、その対抗する対辺部を連結する連結部１１ａがコイル枠１２のコイル巻回される芯部に設けられた凹溝部１２ａに掛止爪１２ｂによって固定されている。  【００２０】 この固定はコイル１５が巻回される時に、誘磁部材１１がコイル枠１２から外れたりするようなコイル巻回時に不都合の無い程度の仮固定状態でかまわない。このような仮固定状態にすることによって、誘磁部材１１がコイル枠１２に容易に嵌入できるような設定に掛止爪１２ｂをすることができ、組み込み作業が容易となる。後述するが、誘磁部材１１は後の工程で本固定される。  【００２１】 また、図示のようにコイル巻回された状態で、電導体でもある誘磁部材の１１ａ部とコイル１５とは掛止爪１２ｂによって電気絶縁の為の空隙が設けられるようにしてある。このことにより電���体でもある誘磁部材１１とコイル１５との接触による不具合、例えばショート等を防ぐことができる。この電気絶縁の為の空隙を設けず、他部品を組み込むことによって電気絶縁をしてもかまわない。  【００２２】 そして、コイル枠１２に形成された穴には端子ピン１３が挿入固定され、その後コイルの線端は端子ピン１３に巻回され、銅線プリント版１４の小孔を通して銅線プリント版とハンダ等で結合される。  【００２３】 さらに誘磁部材１１の位置決め穴１１ｄが基板１に設けられた位置きめピン１ｃに挿入され、誘磁部材１１は基板１に位置決めされるとともに、コイル枠１２が基板１に設けられた固定爪１ｄに嵌入されて固定される時に、コイル枠１２の凹溝部の底部と基板１とで挟み込まれて装置として必要な強度で本固定される。  【００２４】 この本固定方法により、コイル枠１２と誘磁部材１１は同時に基板１に固定できることになるので、組立工程の簡素化につながる。もちろん、コイル枠１２と誘磁部材１１を別々に基板１に固定してもかまわない。  【００２５】 このように構成された光量調整装置は図１に示すように、前記光量調整羽根の少なくとも２枚が互いに逆方向に平行移動することにより開口面積を調整するもので、前記コイルと前記マグネットロータは前記絞り羽根の移動方向と同一方向に連続して配置したことにより、光量調整装置全体の形状が光軸から１方向に伸びるような長手形状となる。この形状にすることによって光軸の他方向のスペースが利用でき、この光量調整装置が装着されるレンズ鏡筒において、例えば可動レンズの支軸やズームレンズ駆動モータやフォーカスレンズ駆動モータなどが他方向の光軸近くに配置することが可能で、レンズ鏡筒全体が小さくすることが可能となる。  【００２６】 以上で構成された光量調整装置は図１で示すように。基板１には光量調整羽根６及び７とマグネットロータ３と励磁ユニット１０が装着され、コイル１５に流す電流によって誘磁部材１１は誘磁され磁極１１ｂと１１ｃに磁極を生起する。この磁極の生起により径方向に２極に着磁されたマグネットロータ３は回転し、マグネットロータ３に形成された連結ピン４ｃ及び４ｄ（図示せず）によって光量調整羽根６及び７を可動させ、それぞれの光量調整羽根は光軸開口５の通過光量を調整すべく開閉する。  【００２７】 以上のように、本発明では、光軸開口を有する基板に、前記光量調整羽根を上記光軸開口に対し開閉自在に支持するガイドと、前記マグネットロータの回転軸の両端を嵌合支持する一対の軸受部と、前記誘磁部材を上記エアーギャップをもってマグネットロータと一対の磁極が対向配置する位置に位置決めする位置決めとを一体形成した簡単な構成で、この光軸開口を有する基板にマグネットロータと誘磁部材とを単に組み込むだけで、マグネットロータと誘磁部材とのエアーギャップを適正に維持するだけで無く、そのマグネットロータと光量調整羽根との駆動連結位置をも適正に維持することも出来、結果組立時の位置調整を必要とせず組立性に優れ、しかも薄くコンパクトな光量調整装置を提供することが出来る。【図面の簡単な説明】   【図１】 光量調整装置の斜視図 【図２】 分解斜視図  【図３】 マグネットロータの分解斜視図 【図４】 励��ユニットの分解斜視図 【図５】 励磁ユニットの断面斜視図 【符号の説明】１ 基板  ２ａ 軸受部  ２ｂ 軸受部  ２ｃ スリット状開口  ３ マグネットロータ ４ アーム  ６ 光量調整羽根  ７ 光量調整羽根  ９ マグネット  １０ 励磁ユニット  １１ 誘磁部材  １１ｂ 磁極  １１ｃ 磁極  １２ コイル枠